(57)【要約】【課題】装飾性の低い受け皿の装飾効果を高めて、遊技意欲を高めることが可能な遊技機を提供する。【解決手段】本発明に係る遊技機は、遊技球を払出す払出口２０と、払出口２０から払出された遊技球を貯留する上皿４ａと、上皿４ａに設けられ、導光性を有する上皿チューブ８０ｂと、上皿チューブ８０ｂを受け皿に固定する左チューブ固定部７２と、上皿チューブ８０ｂに向けて光を発光するランプ１４２ａ，１４３ａとを備え、上皿チューブ８０ｂは、屈撓可能に形成された胴体部８１を有することを特徴とする。【選択図】図３
2008006257.tif 000002
【特許請求の範囲】
【請求項１】
遊技球を払出す払出口と、
前記払出口から払出された遊技球を貯留する受け皿と、
前記受け皿に設けられ、導光性を有する受け皿装飾部材と、
前記受け皿装飾部材を受け皿に固定する固定部と、
前記受け皿装飾部材に向けて光を発光する発光部材とを備え、
前記受け皿装飾部材は、屈撓可能に形成された胴体部を有する、
ことを特徴とする遊技機。
【請求項２】
前記受け皿は、前記払出口から払出された遊技球を受ける球受部を有し、
前記固定部は、前記球受部に備えられた、
ことを特徴とする請求項１記載の遊技機。
【請求項３】
前記受け皿装飾部材は、透明性を有するカバー部材にて覆われる、
ことを特徴とする請求項１または２に記載の遊技機。
【請求項４】
前記受け皿には、前方に開放された陥没穴が形成され、
前記受け皿装飾部材は、前記陥没穴に配置される、
ことを特徴とする請求項１〜３の何れか一項に記載の遊技機。
【請求項５】
前記陥没穴は、前記受け皿の中央部を基準に左右対称に形成され、
前記受け皿装飾部材は、前記右側および左側の陥没穴のそれぞれにおいて、左右対称に配置される、
ことを特徴とする請求項４記載の遊技機。
【請求項６】
前記胴体部は、前記陥没穴の内壁と非接触に配置される、
ことを特徴とする請求項４または５に記載の遊技機。
【請求項７】
前記陥没穴の内壁は、光を反射可能な部材で形成され、
前記発光部材は、前記受け皿装飾部材を介して前記陥没穴の内壁へ光を発光する、
ことを特徴とする請求項４〜６の何れか一項に記載の遊技機。
【発明の詳細な説明】
【技術分野】
【０００１】  本発明は、遊技機に関し、特に払出しを受けた遊技球を貯留する受け皿を設けた遊技機に関するものである。
【背景技術】
【０００２】  従来より、パチンコ遊技機は、遊技球が転動流下する遊技が行われる遊技盤や、当該遊技盤の下方に設けられ、払出しを受けた遊技球を貯留する受け皿（上皿、下皿等）等から構成されている。【０００３】  しかしながら、従来の受け皿は、殆ど趣向が施されておらず、遊技盤に比べて華やかさに欠けていた。そこで、当該受け皿に対して装飾を施した遊技機が登場している（例えば、特許文献１参照）。【０００４】  特許文献１では、受け皿内部に発光体であるＬＥＤ（以下、「装飾部材」という）を設け、当該装飾部材を透光性カバーで覆っている。そして、当該装飾部材を遊技状況に応じて点灯および点滅等させることで、遊技盤の下方における受け皿を装飾して目立たせている。
【特許文献１】特開２００１−２１８８９４号公報
【発明の開示】
【発明が解決しようとする課題】
【０００５】  しかしながら、特許文献１においては、上記装飾部材の形状や位置が固定化されていたため、当該装飾部材による演出の態様が制限されてしまっていた。【０００６】  これでは、受け皿の装飾効果の向上が不十分となってしまい、遊技意欲を十分に高めることができない。【０００７】  そこで、本発明は、装飾性の低い受け皿の装飾効果を高めて、遊技意欲を高めることが可能な遊技機を提供することを目的とする。
【課題を解決するための手段】
【０００８】  上記課題を解決するため、請求項１に記載の本発明の遊技機は、遊技球を払出す払出口（払出口２０）と、払出口から払出された遊技球を貯留する受け皿（上皿４ａ）と、受け皿に設けられ、導光性を有する受け皿装飾部材（上皿チューブ８０ｂ）と、受け皿装飾部材を受け皿に固定する固定部（左チューブ固定部７２）と、受け皿装飾部材に向けて光を発光する発光部材（ランプ１４２ａ，１４３ａ）とを備え、受け皿装飾部材は、屈撓可能に形成された胴体部（胴体部８１）を有することを特徴とする。【０００９】  このように、受け皿装飾部材は、屈撓可能に形成された胴体部を有しているため、当該胴体部を屈撓させることによって、固定部に固定される部分以外の部分を固定する位置を、自由に変化させることができる。【００１０】  この場合、発光部材により発光されて光による装飾が施される受け皿装飾部材の形状や位置を多様化させることができ、当該受け皿装飾部材による光の演出の態様を多様化させることができる。【００１１】  これにより、装飾性の低い受け皿の装飾効果を高めて、遊技意欲を高めることが可能となる。【００１２】  請求項２に記載の本発明は、請求項１に記載の発明の構成に加えて、受け皿は、払出口から払出された遊技球を受ける球受部（球受部１２０）を有し、固定部は、球受部に備えられたことを特徴とする。【００１３】  本構成によれば、受け皿装飾部材を固定する固定部は、球受部に備えられるようになっている。この場合、球受部が払出口から払出された遊技球を受けたときにおける衝撃、が上記固定部に伝わるようになろ。【００１４】  これにより、球受部が遊技球を受けたときにおける衝撃を、受け皿装飾部材に対して、上記固定部を介して伝えることができ、当該受け皿装飾部材を振動させることができる。【００１５】  この場合、球受部が遊技球を受けた衝撃が発生する毎に、受け皿装飾部材の態様が変化するようになるため、当該受け皿装飾部材による演出の態様をより多様化させることができ、受け皿の装飾効果をより高めることができる。【００１６】  請求項３に記載の本発明は、請求項１または２に記載の発明の構成に加えて、受け皿装飾部材は、透明性を有するカバー部材（チューブカバー１３０）にて覆われることを特徴とする。【００１７】  本構成の受け皿装飾部材は、透明性を有するカバー部材にて覆われている。すなわち、受け皿装飾部材は、視認可能に覆われているので、たとえ、発光部材が非点灯の状態にあるとき、つまり、受け皿装飾部材に光による装飾が施されていないときであっても、当該受け皿装飾部材を遊技者に視認させて強調させることができるので、受け皿の装飾効果を高めることができる。【００１８】  さらに、本発明によれば、受け皿装飾部材を、カバー部材にて保護することができるので、当該受け皿装飾部材の安全性を高めることができる。【００１９】  請求項４に記載の本発明は、請求項１〜３の何れか一項に記載の発明の構成に加えて、受け皿には、前方に開放された陥没穴（陥没穴１１０，１１１）が形成され、受け皿装飾部材は、陥没穴に配置されることを特徴とする。【００２０】  本構成によれば、受け皿装飾部材は、陥没穴に配置されて収容されるようになっているので、���け皿が、上記受け皿装飾部材によって嵩張ることを防ぐことができる。【００２１】  請求項５に記載の本発明は、請求項４に記載の発明の構成に加えて、陥没穴は、受け皿の中央部を基準に左右対称に形成され、受け皿装飾部材は、右側および左側の陥没穴のそれぞれにおいて、左右対称に配置されることを特徴とする。【００２２】  本構成の受け皿装飾部材は、右側および左側の陥没穴のそれぞれにおいて、左右対称に配置されるようになっている。これによれば、受け皿の両側から装飾効果を高めることができるので、当該受け皿の装飾効果をより高めることが可能となる。【００２３】  請求項６に記載の本発明は、請求項４または５に記載の発明の構成に加えて、胴体部は、陥没穴の内壁と非接触に配置されることを特徴とする。【００２４】  本構成の受け皿装飾部材の胴体部は、陥没穴の内壁と非接触に配置されるようになっている。この場合、受け皿装飾部材が陥没穴に埋め込まれている場合に比べて、当該受け皿装飾部材を強調させることができ、受け皿の装飾効果をより高めることが可能となる。【００２５】  さらに、本発明によれば、受け皿装飾部材が発光部材から受けた光は、当該受け皿装飾部材が陥投穴に埋め込まれている場合に比べて、陥没穴の内壁に到達し易くなる。【００２６】  この場合、陥没穴の内壁に対して光の装飾を施すことが容易となるので、受け皿の装飾効果をより高めることが可能となる。【００２７】  請求項７に記載の本発明は、請求項４〜６の何れか一項に記載の発明の構成に加えて、陥没穴の内壁（内壁１１２）は、光を反射可能な部材で形成され、発光部材は、受け皿装飾部材を介して陥没穴の内壁へ光を発光することを特徴とする。【００２８】  本構成の発光部材は、受け皿装飾部材を介して陥没穴の内壁へ光を発光し、そして、陥没穴の内壁は、光を反射可能な部材で形成されている。これによれば、発光部材の発する光は、陥没穴の内壁によって反射されるので、陥没穴全体における光の装飾効果をより高めることができ、受け皿の装飾効果をより高めることが可能となる。
【発明の効果】
【００２９】  本発明によれば以下の効果を奏することができる。【００３０】  すなわち、本発明によれば、装飾性の低い受け皿の装飾効果を高めて、遊技意欲を高めることが可能となる。
【発明を実施するための最良の形態】
【００３１】  以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。【００３２】  図１は本発明の一実施の形態である遊技機を示す斜視図、図２は図１に示す遊技機の正面図、図３は図１に示す遊技機の上皿を示す斜視図、図４は図２に示す遊技機からチューブカバーが取り外された状態を示す正面図、図５は図３に示す遊技機からチューブカバーが取り外された状態を示す斜視図、図６は球受部から球受部カバーが取り外された状態を示す部分正面図、図７は本実施の形態に係る右チューブ固定部の周辺を示す拡大斜視図、図８は本実施の形態に係る右チューブ固定部の周辺を上方から見た説明図、図９は本実施の形態に係る上皿の背面側を示す斜視図、図１０は本実施の形態に係る上皿の背面図、図１１は本実施の形態に係る球受部カバーを示す背面図、図１２は本実施の形態に係る球受部を示す背面図、図１３は本実施の形態に係る陥没穴の内部を示す斜視図、図１４は図１３に示す陥没穴から上皿チューブを取り除いた状態を示す斜視図である。【００３３】  図１または図２に示すように、パチンコ遊技機（遊技機）１は、遊技盤（図示せず）が装着される本体枠３ａがヒンジ３ｃを介して島設備に固定されるベース枠３ｂに回動可能に取り付けられ（すなわち、本体枠３ａは、本体枠３ａの一方端を回動支点として支持されて当該ベース枠３ｂに開閉可能に取り付けられる。）、これら本体枠３ａおよびベース枠３ｂで遊技機本体３が構成されている。そして、このような遊技機本体３の本体枠３ａに対して、本体枠３ａ上部の左右に固定されたスピーカ（図示せず）を保護するスピーカカバー６０ａ，６０ｂ、図示しない遊技盤および液晶表示装置（ＬＣＤ）を視認可能に被うガラス扉９、上皿部４、下皿部５およびハンドル７が取り付けられるようになっている。【００３４】  ガラス扉９および上皿部４は一体化して形成されており、この一体化された開閉扉（開閉体）は、その一端が本体枠３ａに回動可能に軸支され、他端が本体枠３ａに係合するようになっている。【００３５】  上皿部４はガラス扉９の下側に位置し、遊技球を払出す払出口２０と、当該払出口２０から払出された遊技球および遊技領域に打ち込まれる遊技球が貯留される上皿（受け皿）４ａとを有している。また、上皿４ａの所定の位置には、遊技終了時などにおいて上皿４ａに貯留された遊技球を後述する下皿５ａに移動させて取り出す場合に操作されるシャッタレバー８や、球貸操作が可能な球貸し操作パネル１５０が設けられている。【００３６】  上皿部４の下側に位置する下皿部５は、本体枠３ａに固定されており、払い出しにより上皿４ａからオーバーフローした遊技球が貯留される下皿５ａを有している。【００３７】  下皿部５の右側には、レール（図示せず）を介して遊技盤の遊技領域へ遊技球を発射する際に回動操作されるハンドル７が設けられている。ハンドル７には遊技球の発射を停止するストップボタン（図示せず）が設けられている。【００３８���  遊技者が上記ハンドル７を回動して打ち出し操作をすることにより、上皿４ａ中の遊技球が、発射球供給装置（図示せず）により発射装置（図示せず）に送出されて、当該発射装置によりレールに沿って遊技領域に発射される。【００３９】  次に、図３〜図１４を用いて本実施の形態の要部である上皿４ａについて説明する。【００４０】  上皿４ａは、払出口２０から払出された遊技球を、当該払出口２０の正面を半包囲する位置に形成された内壁１２０ａにて受ける皿状の部材である球受部１２０（図３、図５、図９、図１２）と、当該球受部１２０の正面側を覆う球受部カバー１２５（図９、図１１）とから構成されている（図３、図９、図１０参照）。【００４１】  ここで、球受部１２０は、払出口２０から払出された遊技球を受けるとともに、当該遊技球が球受部１２０の外部へと飛び出ることを防ぐための上記内壁１２０ａが形成された領域である球受け領域Ａと、上記球受け領域Ａが受けた遊技球を貯留するための内壁１２０ａｂが形成された領域である球貯留領域Ｂとを有している（図３、図５、図９、図１０および図１２参照）。【００４２】  球受部カバー１２５の右側および左側には、前方に開放された陥没穴１１０，１１１が、上皿４ａの中央部を基準に左右対称に形成されており、そして、当該陥没穴１１０，１１１の内部には、管状に延びた上皿チューブ（受け皿装飾部材）８０ａ，８０ｂが、それぞれ左右対称に配置されている（図３〜図５参照）。【００４３】  そして、上記陥没穴１１０，１１１には、図３に示すように、ポリカーボネートやアクリル樹脂（ＰＭＭＡ）などの透明性を有する部材で構成されるとともに、上皿チューブ８０ａ，８０ｂを覆うチューブカバー（カバー部材）１３０が取り付けられるようになっている（図３参照）。【００４４】  すなわち、本実施の形態における上皿チューブ８０ａ，８０ｂは、陥没穴１１０，１１１内において、透明性を有するチューブカバー１３０によって視認可能に覆われている。【００４５】  ここで、上皿チューブ８０ａ，８０ｂは、屈撓可能に形成された胴体部８１を有している（図４〜図７参照。図４は、図２に示す遊技機１からチューブカバー１３０が取り外された状態を示す正面図である）。この胴体部８１の下部には、伸縮可能な蛇腹部８１ａ（図５〜図７）が備えられており、胴体部８１は、当該蛇腹部８１ａの伸縮に応じて屈撓するようになっている。【００４６】  上皿チューブ８０ａの右端は、図４に示すように、球受部カバー１２５の右上に取り付けられた右チューブ固定部７０に嵌め込まれて固定されるようになっており、一方、左端は、右チューブ固定部７０の斜め左下に位置する右チューブ第２固定部７１に嵌め込まれて固定されるようになっている。【００４７】  すなわち、上皿チューブ８０ａは、陥没穴１１０内において、右から左にかけて緩やかに下方にカーブした状態で固定されるようになっている。【００４８】  一方、上皿チューブ８０ｂの左端は、図４、図６乃至図８に示すように、球受部１２０の左側に取り付けられた左チューブ固定部（固定部）７２に嵌め込まれて固定されるようになっており、一方、右端は、左チューブ固定部７２の斜め右下に位置する左チューブ第２固定部７３に嵌め込まれて固定されるようになっている。【００４９】  すなわち、上皿チューブ８０ｂは、陥没穴１１１内において、左から右にかけて緩やかに下方にカーブした状態で固定されるようになっている。【００５０】  ここで、右チューブ固定部７０は、右チューブ第２固定部７１、左チューブ第２固定部７３は、上述したように球受部カバー１２５に取り付けられるようになっており、左チューブ固定部７２は、球受部１２０に取り付けられるようになっている。【００５１】  次に、図６を用いて、左チューブ固定部７２および左チューブ第２固定部７３周辺の構成について説明する。図６は、球受部から球受部カバーが取り外された状態を示す部分正面図である。【００５２】  同図に示すように、左チューブ第２固定部７３の右側には、上皿チューブ８０ｂ方向にランプ（発光部材）１４３ａを搭載したＬＥＤ基板１４３が配置されている。また、左チューブ固定部７２の左側には、図６乃至図９に示すように、上皿チューブ８０ｂ方向にランプ（発光部材）１４２ａを搭載したＬＥＤ基板１４２が配置されている。ここで、ＬＥＤ基板１４３は、球受部カバー１２５に取り付けられており、ＬＥＤ基板１４２および左チューブ固定部７２は、図６乃至図８に示すように、ネジ止め突起１４５ａを有する支持部材１４５によって支持されている。【００５３】  なお、右チューブ第２固定部７１の左側には、図４に示すように、上皿チューブ８０ａ方向にランプ（発光部材）１４１ａを搭載したＬＥＤ基板１４１が配置されている。また、右チューブ固定部７０の右側には、図４に示すように、上皿チューブ８０ａ方向にランプ（発光部材）１４０ａを搭載したＬＥＤ基板１４０が配置されている。ここで、ＬＥＤ基板１４１は、球受部カバー１２５に取り付けられており、ＬＥＤ基板１４０は、ＬＥＤ基板１４２および右チューブ固定部７０は、図９および図１０に示すように、ネジ止め突起１４５ｂを有する支持部材１４６によって支持されている。【００５４】  本実施の形態のランプ１４０ａ，１４１ａ，１４２ａ，１４３ａは、上皿チューブ８０ａ，８０ｂに向けて複数色の光を発光することが可能なＳＭＴＬＥＤであり、そして、ＬＥＤ基板１４０，１４１，１４２，１４３は、それぞれ遊技機１の制御回路に接続されており、当該制御回路から送信される信号に応じて、上記ランプ１４０ａ，１４１ａ，１４２ａ，１４３ａを発光させるようになっている。【００５５】  また、上皿チューブ８０ａ，８０ｂは、ポリカーボネートやアクリル樹脂（ＰＭＭＡ）などの導光性の部材で構成されているため、上記ランプ（発光部材）１４０ａ，１４１ａ，１４２ａ，１４３ａから光が発光された場合には、当該光による装飾が施されることとなる。さらに、上皿チューブ８０ａ，８０ｂは、上記ランプ１４０ａ，１４１ａ，１４２ａ，１４３ａの発光する光を、チューブカバー１３０の表面側や、陥没穴１１０，１１１の内壁１１２（図５、図１３）等へと拡散させている。また、当該上皿チューブ８０ａ，８０ｂには、光を拡散しやすくなるように白色顔料等の拡散部材を含有させてもよい。【００５６】  ここで、図６乃至図８に示すように、球受部１２０の左端上部における外壁１２０ｂ（すなわち、球受け領��Ａ内）には、側方に向って突出形成されたネジ止め突起１２１ａが形成されている。【００５７】  本実施の形態においては、支持部材１４５のネジ止め突起１４５ａに形成されたネジ孔（図示せず）を介して、上記ネジ止め突起１２１ａに形成されたネジ孔（図示せず）にネジ２００を螺合することにより、支持部材１４５を、ネジ止め突起１２１ａにネジ止めすることができる（図６乃至図８参照）。【００５８】  これによれば、上皿チューブ８０ｂの左端を固定する左チューブ固定部７２は、支持部材１４５を介して、球受部１２０の外壁１２０ｂ（すなわち、球受け領域Ａ内）に備えられるようになる。この場合、球受部１２０が払出口２０から払出された遊技球を内壁１２０ａにて受けたときにおける衝撃、が上記左チューブ固定部７２に伝わるようになる。【００５９】  これにより、球受部１２０が遊技球を受けたときにおける衝撃を、上皿チューブ８０ｂに対して、上記左チューブ固定部７２を介して伝えることができ、当該上皿チューブ８０ｂを振動させることができる。【００６０】  なお、左チューブ固定部７２は、上記衝撃が伝わり易い位置、すなわち、払出口２０から払出される遊技球が衝突する部分（球受け領域Ａ内における内壁１２０ａ）の近傍、に備えられていることが望ましい。【００６１】  ここで、本実施の形態においては、左チューブ固定部７２に上記衝撃が伝わり易くするために、当該左チューブ固定部７２を支持する支持部材１２１ａを、球受け領域Ａ内におけるネジ止め突起１２１ａにネジ止めしている（図９および図１０参照。すなわち、本実施の形態における左チューブ固定部７２は、球受け領域Ａに備えられている）。【００６２】  また、図９および図１１に示すように、球受部カバー１２５の裏面のうち右側上部には、突出形成されたネジ止め突起１２５ａが形成されている。【００６３】  本実施の形態においては、支持部材１４６のネジ止め突起１４５ｂに形成されたネジ孔（図示せず）を介して、上記ネジ止め突起１２５ａに形成されたネジ孔（図示せず）にネジ２００を螺合することにより、支持部材１４６を、ネジ止め突起１２５ａにネジ止めすることができる（図９および図１０参照）。【００６４】  これによれば、上皿チューブ８０ａの右端を固定する右チューブ固定部７０は、支持部材１４６を介して、球受部カバー１２５に取り付けられるようになる。【００６５】  次に、図９乃至図１２を用いて、球受部１２０および球受部カバー１２５から構成される上皿４ａの背面側について説明する。ここで、図９は、本実施の形態に係る上皿の背面側を示す斜視図、図１０は本実施の形態に係る上皿の背面図である。【００６６】  図９および図１２において、球受部１２０の左側（すなわち、球受部１２０の背面側から見て左側）の外壁１２０ｂには、側方に向って突出形成されたネジ止め突起１２１ｂが形成されており、また、球受部カバー１２５の裏面において、当該ネジ止め突起１２１ｂと対向する位置には、球受部１２０方向に突出したネジ止め突起１２５ｂが形成されている。【００６７】  そして、上記球受部１２０のネジ止め突起１２１ｂに形成されたネジ孔（図示せず）を介して、球受部カバー１２５のネジ止め突起１２５ｂに形成された���ジ孔（図示せず）にネジ２００を螺合することにより、球受部１２０に球受部カバー１２５が取り付けられて上皿４ａが構成される（図９および図１０参照）。【００６８】  ここで、図９、図１０および図１２に示すように、球受部１２０のうち、球貯留領域Ｂ内における内壁１２０ａｂの底部には、払出口２０から受けた遊技球が流入する流入口１２２が形成されており、そして、当該流入口１２２からは、発射装置へと延びる流入通路１２３が、蛇行して形成されている。【００６９】  また、球受部１２０をその正面から覆う球受部カバー１２５の裏面側の四隅には、当該球受部１２０および球受部カバー１２５から構成される上皿４ａを上皿部４に取り付るための取付部１２６が設けられている（図９乃至図１１参照）。【００７０】  この取付部１２６の頂部には孔が形成されており、当該取付部１２６の孔には、上皿部４の表面側に設けられた突起（図示せず）を挿入させることができるようになっている。【００７１】  また、球受部カバー１２５の裏面側において、両側の上部には、上皿部４における係止部（図示せず）に係止する係止爪１２５ｄ，１２５ｅが形成されている（図９乃至図１１参照）。本実施の形態においては、取付部１２６の孔に上皿部４における突起を挿入させるとともに、係止爪１２５ｄ，１２５ｅを上皿部４における係止部に係止させることにより、図１乃至図５に示すように、上皿４ａを、上皿部４の表面側に取り付けることができる。但し、本発明はこれに限定されず、上皿４ａは、例えば、ピン止めやネジ止め等により上皿部４に取り付けられるようになっていてもよいし、接着により取り付けられるようになっていてもよい。【００７２】  また、球受部カバー１２５の中央上部には、球貸し操作パネル１５０を嵌め込むことが可能な開口孔１２５ｇ（図１１）が形成されており、球貸し操作パネル１５０は、当該開口孔１２５ｇに嵌め込まれることにより、上皿４ａに取り付けられるようになっている（図１乃至図５参照）。【００７３】  さらに、球受部カバー１２５の下部には、制御回路からの信号に応じて所定の処理を行う基板１２４を取り付けるためのネジ孔１２５ｃが４つ形成されている。そして、基板１２４に形成されたネジ孔（図示せず）を介して、上記ネジ孔１２５ｃにネジを螺合させることによって、球受部カバー１２５の下部に基板１２４を取り付けることができるようになっている（図９および図１０参照）。【００７４】  また、球受部カバー１２５の下部には、スリット状の排熱孔１２５ｆが多数形成されており、基板１２４等が発する熱は、当該排熱孔１２５ｆから遊技機１の外部へ排出される。【００７５】  次に、図１３および図１４を用いて、陥没穴１１１の内部構造について説明する。なお、陥没穴１１０は、上述したように陥没穴１１１と左右対称に形成されているが、いずれも内部構成は近似しているため、ここでは片側の陥没穴１１１の内部構造のみ説明する。ここで、図１３は、本実施の形態に係る陥没穴１１１の内部を示す斜視図、図１４は図１３に示す陥没穴から上皿チューブを取り除いた状態を示す斜視図である。【００７６】  陥没穴１１１の内壁１１２は、光を反射可能な部材（例えば、金属等）で形成されている。そし���、陥没穴１１１内に配置される上皿チューブ８０ｂの胴体部８１は、図１３に示すように、当該内壁１１２とは非接触な状態となっている。これによれば、上皿チューブ８０ｂがランプ１４２ａ，１４３ａから受けた光は、当該上皿チューブ８０ｂが陥没穴１１１に埋め込まれている場合に比べて、当該陥没穴１１１の内壁１１２に到達し易くなる。【００７７】  この場合、陥没穴１１１の内壁１１２に対して、ランプ１４２ａ，１４３ａの発光する光による装飾を施すことが容易となるので、上皿４ａの装飾効果をより高めることが可能となる。【００７８】  以上、本発明の実施の形態を説明したが、これは本発明を具体的に例示したに過ぎず、特に本発明を限定するものではない。【００７９】  例えば、本実施の形態におけるランプ１４０ａ，１４１ａ，１４２ａ，１４３ａは、ＳＭＴＬＥＤであったが、これに限られず、発光することが可能な部材であればよい。【００８０】  また、ランプ１４０ａ，１４１ａ，１４２ａ，１４３ａは、図４に示すように、それぞれ上皿チューブ８０ａ，８０ｂの端部近傍に配置されていたが、これに限定されず、他の位置に配置されるようになっていてもよい。【００８１】  さらに、本実施の形態の上皿チューブ８０ａ，８０ｂは、伸縮可能な蛇腹部８１ａを備えた構成となっているが、これに限られず、当該蛇腹部８１ａを備えない構成であってもよい。【００８２】  また、本実施の形態における左チューブ固定部７２は、上皿チューブ８０ｂの左端を固定するようになっていたが、これに限られず、他の部分を固定するようになっていてもよい。例えば、上皿チューブ８０ｂの右端を固定するようになっていてもよいし、当該チューブの両端を固定するようになっていてもよい。また、左チューブ固定部７２は、上皿チューブ８０ａを固定するようになっていてもよい。【００８３】  さらに、本実施の形態における左チューブ固定部７２は、球受部１２０の左端上部における外壁１２０ｂ（すなわち、球受け領域Ａ内）に備えられるようになっているが、本発明はこれに限られず、球受部１２０が払出口２０から払出された遊技球を受けたときにおける衝撃、が伝わる位置に備えられていればよい。【００８４】  また、本発明においては、左チューブ固定部７２以外の固定部（右チューブ固定部７０、右チューブ第２固定部７１、左チューブ第２固定部７３等）を、上記衝撃が伝わる位置に備えてもよい。【００８５】  さらに、本実施の形態における上皿チューブ８０ａ，８０ｂは、それぞれ両端が固定されるようになっていたが、これに限られず、それぞれ一端のみが固定されるようになっていてもよい。この場合、上皿チューブ８０ａ，８０ｂの振動範囲が大きくなるので、よりインパクトのある演出を行うことが可能となる。【００８６】  また、本実施の形態の上皿チューブ８０ａ，８０ｂは、少なくとも一部が導光性を有する部材で構成されていればよく、そして、上記ランプ１４０ａ，１４１ａ，１４２ａ，１４３ａは、当該導光性を有する部材に向けて光を発光するようになっていればよい。【００８７】  また、本実施の形態の上皿チューブ８０ａ，８０ｂは、それぞれ陥没穴１１０，１１１内に配置されるようになっているが、これに限られず、球受部カバー１２５の表面に剥き出しに配置されるようになっていてもよい。【００８８】  また、本実施の形態の陥没穴１１０，１１１の内壁１１２は、金属にて形成されているが、本発明はこれに限られず、光を反射可能な部材であればよい。例えば、合成樹脂等から形成されていてもよい。また、上記内壁１１２は、ガラス板の裏面に銀メッキが施されて形成された鏡（反射鏡）であってもよいし、光を反射可能な顔料等が塗布されたものであってもよい。【００８９】  また、本実施の形態においては、上皿４ａを装飾する技術の一例を説明したが、当該技術を用いて、下皿５ａを装飾するようにしてもよい。また、本発明を、受け皿が一つのみ形成された遊技機に対して適用してももちろんよい。【００９０】  このように、本実施の形態によれば、上皿チューブ（受け皿装飾部材）８０ｂは、屈撓可能に形成された胴体部８１を有しているため、当該胴体部８１を屈撓させることによって、左チューブ固定部（固定部）７２に固定される部分以外の部分を固定する位置を、自由に変化させることができる。【００９１】  この場合、ランプ（発光部材）１４２ａ，１４３ａにより発光されて光による装飾が施される上皿チューブ８０ｂの形状や位置を多様化させることができ、当該上皿チューブ８０ｂによる光の演出の態様を多様化させることができる。【００９２】  これにより、装飾性の低い上皿４ａの装飾効果を高めて、遊技意欲を高めることが可能となる。【００９３】  さらに本発明の上皿チューブ８０ａ，８０ｂは、屈撓可能となっているため、当該上皿チューブ８０ａ，８０ｂを、形状の異なる上皿に流用することが可能となる。これによれば、上皿チューブ８０ａ，８０ｂを、規格の異なる遊技機に対しても流用することができ、装飾部材の製造コストを節約することが可能となる。【００９４】  また、本実施の形態によれば、上皿チューブ８０ｂを固定する左チューブ固定部７２は、支持部材１４５を介して球受部１２０の外壁１２０ｂに備えられるようになっている。この場合、球受部１２０が払出口２０から払出された遊技球を受けたときにおける衝撃、が上記左チューブ固定部７２に伝わるようになる。【００９５】  これにより、球受部１２０が遊技球を受けたときにおける衝撃を、上皿チューブ８０ｂに対して、上記左チューブ固定部７２を介して伝えることができ、当該上皿チューブ８０ｂを振動させることができる。【００９６】  この場合、球受部１２０が遊技球を受けた衝撃が発生する毎に、上皿チューブ８０ｂの態様が変化するようになるため、当該上皿チューブ８０ｂによる演出の態様をより多様化させることができ、上皿４ａの装飾効果をより高めることができる。【００９７】  さらに、本実施の形態の上皿チューブ８０ｂは、透明性を有するチューブカバー（カバー部材）１３０にて覆われている。すなわち、上皿チューブ８０ｂは、視認可能に覆われているので、たとえ、ランプ１４２ａ，１４３ａが非点灯の状態にあるとき、つまり、上皿チューブ８０ｂに光による装飾が施されていないときであっても、当該上皿チューブ８０ｂを遊技者に視認させて強調させることができるので、上皿４ａの装飾効果を高めることができる。【００９８】  さらに、本発明によれば、上皿チュ��ブ８０ｂを、チューブカバー１３０にて保護することができるので、当該上皿チューブ８０ｂの安全性を高めることができる。【００９９】  また、本実施の形態によれば、上皿チューブ８０ｂは、陥没穴１１１に配置されて収容されるようになっているので、上皿４ａが、上記上皿チューブ８０ｂによって嵩張ることを防ぐことができる。【０１００】  さらに、本実施の形態の上皿チューブ８０ａ，８０ｂは、右側および左側の陥没穴１１０，１１１のそれぞれにおいて、左右対称に配置されるようになっている。これによれば、上皿４ａの両側から装飾効果を高めることができるので、当該上皿４ａの装飾効果をより高めることが可能となる。【０１０１】  また、本実施の形態の上皿チューブ８０ａ，８０ｂの胴体部８１は、陥没穴１１０，１１１の内壁１１２と非接触に配置されるようになっている。この場合、上皿チューブ８０ａ，８０ｂが陥没穴１１０，１１１に埋め込まれている場合に比べて、当該上皿チューブ８０ａ，８０ｂを強調させることができ、上皿４ａの装飾効果をより高めることが可能となる。【０１０２】  さらに、本発明によれば、上皿チューブ８０ａ，８０ｂがランプ１４０ａ，１４１ａ，１４２ａ，１４３ａから受けた光は、当該上皿チューブ８０ａ，８０ｂが陥没穴１１０，１１１に埋め込まれている場合に比べて、陥没穴１１０，１１１の内壁１１２に到達し易くなる。【０１０３】  この場合、陥没穴１１０，１１１の内壁１１２に対して光の装飾を施すことが容易となるので、上皿４ａの装飾効果をより高めることが可能となる。【０１０４】  また、本実施の形態のランプ１４０ａ，１４１ａ，１４２ａ，１４３ａは、上皿チューブ８０ａ，８０ｂを介して陥没穴１１０，１１１の内壁１１２へ光を発光し、そして、陥没穴１１０，１１１の内壁１１２は、光を反射可能な部材で形成されている。これによれば、ランプ１４０ａ，１４１ａ，１４２ａ，１４３ａの発する光は、陥没穴１１０，１１１の内壁１１２によって反射されるので、陥没穴全体における光の装飾効果をより高めることができ、上皿４ａの装飾効果をより高めることが可能となる。
【産業上の利用可能性】
【０１０５】  以上の説明においては、本発明をパチンコ遊技機本体が遊技台に取り付けられた遊技機に適用した場合が説明されているが、本発明はこれに限定されるものではなく、スロットマシン（パチスロ機）、雀球、スマートボールあるいはゲームセンターに設置された各種ゲーム機など、種々の遊技機に適用することが可能である。
【図面の簡単な説明】
【０１０６】
【図１】本発明の一実施の形態である遊技機を示す斜視図である。
【図２】図１に示す遊技機の正面図である。
【図３】図１に示す遊技機の上皿を示す斜視図である。
【図４】図２に示す遊技機からチューブカバーが取り外された状態を示す正面図である。
【図５】図３に示す遊技機からチューブカバーが取り外された状態を示す斜視図である。
【図６】球受部から球受部カバーが取り外された状態を示す部分正面図である。
【図７】本実施の形態に係る右チューブ固定部の周辺を示す拡大斜視図である。
【図８】本実施の形態に係る右チューブ固定部の周辺を上方から見た説明図である。
【図９】本実施の形態に係る上皿の背面側を示す斜視図である。
【図１０】本実施の形態に係る上皿の背面図である。
【図１１】本実施の形態に係る球受部カバーを示す背面図である。
【図１２】本実施の形態に係る球受部を示す背面図である。
【図１３】本実施の形態に係る陥没穴の内部を示す斜視図である。
【図１４】図１３に示す陥没穴から上皿チューブを取り除いた状態を示す斜視図である。
【符号の説明】
【０１０７】１  パチンコ遊技機（遊技機）
３  遊技機本体
３ａ  本体枠
３ｂ  ベース枠
３ｃ  ヒンジ
４  上皿部
４ａ  上皿（受け皿）
５  下皿部
５ｂ  下皿
７  ハンドル
９  ガラス扉
１０  シャッタレバー
２０  払出口
６０ａ，６０ｂ  スピーカカバー
７０  右チューブ固定部
７１  右チューブ第２固定部
７２  左チューブ固定部（固定部）
７３  左チューブ第２固定部
８０ａ，８０ｂ  上皿チューブ（上皿装飾部材）
８１  胴体部
８１ａ  蛇腹部
１１０，１１１  陥没穴
１１２  内壁
１２０  球受部
１２０ａ  内壁
１２０ａｂ  内壁
１２０ｂ  外壁
１２１ａ，１２１ｂ  ネジ止め突起
１２２  流入口
１２３  流入通路
１２４  基板
１２４ａ  ネジ孔
１２５  球受部カバー
１２５ａ，１２５ｂ  ネジ止め突起
１２５ｃ  ネジ孔
１２５ｄ，１２５ｅ  係止爪
１２５ｆ  排熱孔
１２５ｇ  開口孔
１２６  取付部
１３０  チューブカバー（カバー部材）
１４０，１４１，１４２，１４３  ＬＥＤ基板
１４０ａ，１４１ａ，１４２ａ，１４３ａ  ランプ（発光部材）
１４５，１４６  支持部材
１４５ａ，１４５ｂ  ネジ止め突起
１５０  操作パネル
Ａ  球受け領域
Ｂ  球貯留領域
【図１】
2008006257.tif 000003
【図２】
2008006257.tif 000004
【図３】
2008006257.tif 000005
【図４】
2008006257.tif 000006
【図５】
2008006257.tif 000007
【図６】
2008006257.tif 000008
【図７】
2008006257.tif 000009
【図８】
2008006257.tif 000010
【図９】
2008006257.tif 000011
【図１０】
2008006257.tif 000012
【図１１】
2008006257.tif 000013
【図１２】
2008006257.tif 000014
【図１３】
2008006257.tif 000015
【図１４】
2008006257.tif 000016